(57)【要約】【課題】使用する場所の状況に応じて、通気量の異なる上面と下面とを入れ替えて装置本体に取り付けて使用することで、それぞれの状況に最適な状態での薬剤の放散を行うことができる薬剤放散装置を提供する。【解決手段】送風ファン８を備えた装置本体１に薬剤を保持する薬剤保持体１１を取り付けて、薬剤保持体１１の薬剤を装置本体１の送風ファン８によって放散する薬剤放散装置において、薬剤保持体１１にあっては上面１２と下面１３を備え、この上面１２、下面１３それぞれに空気の出入りを可能にする通気孔１５，１６を形成し、上面１２に形成する通気孔１５の面積と下面１３に形成する通気孔１６の面積とを異ならせて、上面１２から下面１３に向かう通気速度と下面１３から上面１２に向かう通気速度とを異ならせると共に、この装置本体１に薬剤保持体１１を取り付ける際、薬剤保持体１１の上面１２、下面１３のどちらでも装置本体１に取り付け可能にして、薬剤保持体１１の上面１２と下面１３とを入れ替えて装置本体１に取り付けて使用できるようにした薬剤放散装置である。【選択図】　　　図１
2004135563.tif 000002
【特許請求の範囲】
【請求項１】
送風ファン８を備えた装置本体１に薬剤を保持する薬剤保持体１１を取り付けて、薬剤保持体１１の薬剤を装置本体１の送風ファン８によって放散する薬剤放散装置において、
薬剤保持体１１にあっては上面１２と下面１３を備え、この上面１２、下面１３それぞれに空気の出入りを可能にする通気孔１５，１６を形成し、上面１２に形成する通気孔１５の面積と下面１３に形成する通気孔１６の面積とを異ならせて、上面１２から下面１３に向かう通気速度と下面１３から上面１２に向かう通気速度とを異ならせると共に、この装置本体１に薬剤保持体１１を取り付ける際、薬剤保持体１１の上面１２、下面１３のどちらでも装置本体１に取り付け可能にして、薬剤保持体１１の上面１２と下面１３とを入れ替えて装置本体１に取り付けて使用できるようにしたことを特徴とする薬剤放散装置。
【請求項２】
薬剤保持体１１を取り付ける装置本体１にあっては、当該装置本体１の吸い込み口側に薬剤保持体１１を取り付けるようにした請求項１記載の薬剤放散装置。
【請求項３】
装置本体１に備えた送風ファン８をシロッコファンとしたことを特徴とする請求項１又は請求項２記載の薬剤放散装置。
【発明の詳細な説明】
【０００１】
【発明の属する技術分野】
本発明は、殺虫、忌避、消臭、芳香、防菌防黴等の目的に供する揮発性の薬剤を保持する薬剤保持体を、ファンを備えた装置本体に取り付けて、薬剤を送風ファンによって放散する薬剤放散装置に関するもので、特には、上面から下面に向かう通気速度と下面から上面に向かう通気速度とを異ならせた薬剤保持体を装置本体に上面と下面とを入れ替えて取り付けて使用できるようにした薬剤放散装置に関する。
【０００２】
【従来の技術】
従来、薬剤放散装置としては、送風ファンを備えた装置本体に薬剤を保持する薬剤保持体を取り付けて、薬剤保持体の薬剤を装置本体の送風ファンによって放散するものが知られていた。
【０００３】
このような薬剤放散装置において、薬剤保持体の薬剤の放散量や放散速度の放散状態を変更する機会がしばしば存在する。
【０００４】
これは、実際に薬剤放散装置を使用するとき、設置して使用する空間において、例えば６畳から１０畳程度の室内であって、標準的な普通の空間に対して、奥行きのある空間や天井が非常に高い空間等である場合、標準的な普通の空間に比べて薬剤の空間全域への拡散に要する時間が非常にかかるといった問題があった。また、同じ室内空間であっても、窓を閉じた状態で使用した場合と、窓を開けて網戸とした開放状態で使用した場合とでは、薬剤の空間全域への拡散に要する時間が全く異なるといった問題があった。しかも、香料等の芳香を目的とし、香りを楽しむ場合、室内全体に香りを放散する場合と、自分のいる周りのみに香りを放散する場合とがあり、香りの放散にもいろいろな場面を想定する必要があった。
【０００５】
このように薬剤放散装置の使用においては、いろいろな場面が想定され、薬剤保持体の薬剤の放散量や放散速度の放散状態を変更する機会がしばしば存在していたのである。
【０００６】
これらの問題を解消するために、例えば、登録実用新案第３０１８０４４号公報や特開平６−３４３６８１号公報には、装置本体に備えた送風ファンの回転数を調整できる機構を備えて、薬剤の放散する量を変更したこと、あるいは開口部の開口面積を調整できる機構を備えて、薬剤の放散する量を変更したことがそれぞれ記載されていた。また、実公昭５８−４４９１号公報には、調整筒を備えて、固形香料の露出面積を調整できるようにして、薬剤の放散する量を変更したことが記載されていた。
【０００７】
【特許文献１】
登録実用新案第３０１８０４４号公報
【特許文献２】
特開平６−３４３６８１号公報
【特許文献３】
実公昭５８−４４９１号公報
【０００８】
【発明が解決しようとする課題】
しかしながら、従来の薬剤放散装置にあっては、薬剤の放散する量を変更するための送風ファンの回転数を調整する制御器や開口部の開口面積を調整するソレノイド、あるいは固形香料の露出面積を調整する調整筒等といった各種の部品を必要とするため、装置の構造の複雑化や大型化を招き、高価な商品になるおそれがあった。しかも、その使用する際の操作も容易かつ簡単なものとはいえず、操作が難しくなるといった問題が生じるおそれもあった。
【０００９】
【課題を解決するための手段】
第１の発明は、送風ファンを備えた装置本体に薬剤を保持する薬剤保持体を取り付けて、薬剤保持体の薬剤を装置本体の送風ファンによって放散する薬剤放散装置において、薬剤保持体にあっては上面と下面を備え、この上面、下面それぞれに空気の出入りを可能にする通気孔を形成し、上面に形成する通気孔の面積と下面に形成する通気孔の面積とを異ならせて、上面から下面に向かう通気速度と下面から上面に向かう通気速度とを異ならせると共に、この装置本体に薬剤保持体を取り付ける際、薬剤保持体の上面、下面のどちらでも装置本体に取り付け可能にして、薬剤保持体の上面と下面とを入れ替えて装置本体に取り付けて使用できるようにした薬剤放散装置である。
【００１０】
第２の発明は、第１の発明において、薬剤保持体を取り付ける装置本体にあっては、当該装置本体の吸い込み口側に薬剤保持体を取り付けるようにした薬剤放散装置である。
【００１１】
第３の発明は、第１又は第２の発明において、装置本体に備えた送風ファンをシロッコファンとした薬剤放散装置である。
【００１２】
【作　　用】
第１の発明によれば、使用する場所の状況に応じて、上面と下面とを入れ替えて装置本体に取り付けて使用することで、それぞれの状況に最適な状態での薬剤の放散を行うことができる。また、従来のような制御器やソレノイドあるいは調整筒等といった各種の部品を不要とし、装置の構造の単純化や小型化を図ることができ、安価な商品にすることができる。しかも、単に薬剤保持体の上面と下面とを入れ替えて取り付けるだけなので、使用する際の操作も非常に容易かつ簡単なものにすることができる。
【００１３】
第２の発明によれば、送風ファンの放出側に比べて、風圧障害等がない送風ファンの吸い込み側に薬剤保持体を取り付けたことで、薬剤保持体内における通気を全域にわたって均等に行うことができ、薬剤保持体内の保持した薬剤を安定して放散することができる。
【００１４】
第３の発明によれば、薄型となるシロッコファンを用いることで、装置本体の薄型化かつ小型化を図り、強いては当該薬剤放散装置の薄型化かつ小型化を図ることができる。
【００１５】
【発明の実施の形態】
本発明による薬剤放散装置の一実施の形態について説明する。
図１に示すように、まず、プラスチック製の装置本体１を備え、装置本体１は上面２と側面３と底面４とから円筒状となり、その上面に大きな円形状の開口部５を形成すると共に、側面３にスリット状の開口部６を多数形成する。また、上面２における開口部５の周囲には後述する薬剤保持体１１を取り付けるための取り付け部７を形成する。そして、内部には、送風ファン８を備え、この送風ファン８は、遠心送風機の一種であるシロッコファンと呼ばれる多翼式送風機であり、回転方向に対して多数の幅の細い羽根９を円筒状に配置したもので、その回転中心にモータ１０を備えて、このモータ１０により多数の羽根９を回転させることで、空気を遠心方向に流すようにするものである。この送風ファン８により、装置本体１の上面２に形成した開口部５が空気を吸い込むための吸い込み口側となり、側面３に形成した開口部６が空気を放出するための放出口側となる。
【００１６】
一方、装置本体１の上面２の開口部５には、その周囲に形成した取り付け部７を介してプラスチック製の薬剤保持体１１を取り付ける。この薬剤保持体１１にあっては、図２に示すように、上面１２と下面１３と側面１４とから円筒状の偏平形状となり、図３に示すように、上面１２に空気の出入りを可能にする網目状の通気孔１５をリング状に形成すると共に、図４に示すように、下面１３に空気の出入りを可能にする網目状の通気孔１６を略全面にわたって形成する。これにより、上面１２に形成する通気孔１５の面積が小さくなり、下面１３に形成する通気孔１６の面積が大きくなる。すなわち、上面１２に形成する通気孔１５の面積と下面１３に形成する通気孔１６の面積とを異ならせて、上面１２から下面１３に向かう通気速度と下面１３から上面１２に向かう通気速度とを異ならせる。そして、この薬剤保持体１１にあっては、装置本体１の開口部５に取り付ける際、薬剤保持体１１の上面１２、下面１３のどちらでも取り付け部７を介して装置本体１の開口部５に取り付け可能にして、薬剤保持体１１の上面１２と下面１３とを入れ替えて装置本体１の開口部５に取り付けて使用できるようにする。
【００１７】
そして、この薬剤保持体１１の内部には、殺虫、忌避、消臭、芳香、防菌防黴等の目的に供する揮発性の薬剤を含浸させて保持するビスコパール粒１７を収容する。
【００１８】
なお、薬剤保持体１１の収納容器にあっては、これに限定されるものではなく、図５に示すように、ビスコパール粒１７の代わりに、担体として薬剤を含浸させて保持する多孔質セラミック成形体１８でも良く、また、綿状、スポンジ状、マット状のもの、あるいは薄いシート、ネット状シートを数枚重ねたものを担体として収納するようにしても良い。また、薬剤保持体１１はプラスチック製に限定されるものではなく、陶器製でも良い。さらに、形状も円筒状に限定されるものではなく、四角形、菱形、多角形等でも良い。
【００１９】
また、図１に示すように、この装置本体１の下部には電池収納部１９を備えて、この電池収納部１９の内部に電池２０を収納して、この電池２０によって送風ファン８を駆動する。
【００２０】
このように薬剤放散装置を構成することにより、装置本体１の内部に備えた送風ファン８によって、装置本体１においては吸い込み口側である上面２の開口部５から放出口側である側面３の開口部６に向かう空気の流れが発生し、これにより、装置本体１の上面２の開口部５に取り付けた薬剤保持体１１においては上面１２あるいは下面１３に形成した通気孔１５，１６より空気が吸い込み、薬剤保持体１１内を流れて、装置本体１の上面２の開口部５を経て装置本体１の内部へと流れ、装置本体１の側面３の開口部６から外部に放出するようになる。このとき、薬剤保持体１１内のビスコパール粒１７に含浸した薬剤もこの空気に流れに乗って、装置本体１の内部を経て外部へと放散するようになる。
【００２１】
そして、この薬剤放散装置にあっては、使用する場所の状況に応じて、装置本体１の開口部５に薬剤保持体１１を取り付ける際、薬剤保持体１１の上面１２と下面１３とを入れ替えて取り付けるようにする。これは、例えば、図１に示すように、薬剤保持体１１の下面１３を装置本体１の開口部５に取り付けた場合、薬剤保持体１１において上方に位置する上面１２の通気孔１５の面積が小さく、下方に位置する下面１３の通気孔１６の面積が大きくなることで、上方に位置する上面１２の通気孔１５から下方に位置する下面１３の通気孔１６に向かう空気の通気速度が遅くなる。これにより、装置本体１の側面３の開口部６から外部に放散される薬剤にあっては、放散速度は遅いが、薬剤の放散量は多くなる。また逆に、図６に示すように、薬剤保持体１１の上面１２を装置本体１の開口部５に取り付けた場合、薬剤保持体１１において上方に位置する下面１３の通気孔１６の面積が大きく、下方に位置する上面１２の通気孔１５の面積が小さくなることで、上方に位置する下面１３の通気孔１６から下方に位置する上面１２の通気孔１５に向かう空気の通気速度が早くなる。これにより、装置本体１の側面３の開口部６から外部に放散される薬剤にあっては、放散速度は早いが、薬剤の放散量は少なくなる。
【００２２】
なお、このように使用する場所の状況に応じて、上面と下面とを入れ替えて装置本体に取り付けて使用したとしても、放散される薬剤にあっては、一方において放散速度は遅いが薬剤の放散量は多くなり、また他方において放散速度は早いが薬剤の放散量は少なくなることで、どちらの状態においても薬剤保持体１１における消費される薬剤の量が大きく異なることがなく、使用の仕方によって使用有効期間が短くなったり、あるいは延びたりするといった変動がないようになっている。
【００２３】
このように装置本体１の開口部５に薬剤保持体１１を取り付ける際、使用する場所の状況に応じて、薬剤保持体１１の上面１２と下面１３とを入れ替えて取り付けるようにすることで、それぞれの状況に最適な状態での薬剤の放散を行うことができる。例えば、奥行きのある空間や天井が非常に高い空間、また窓が開けられて風の入る開放された空間等の場合、図６に示すように、薬剤保持体１１の上面１２を装置本体１の開口部５に取り付けて、薬剤保持体１１内を通気する空気の通気速度を早くすることで、薬剤の放散量は少ないが、薬剤の放散距離を延ばして、広い空間全域に薬剤を拡散することができる。
【００２４】
しかも、単に薬剤保持体１１の上面１２と下面１３とを入れ替えて取り付けるだけなので、使用する際の操作も非常に容易かつ簡単なものにすることができる。
【００２５】
このように薬剤保持体１１における上面１２と下面１３とにおいて、上面１２の通気孔１５の面積と下面１３の通気孔１６の面積とを異ならせて、上面１２から下面１３に向かう通気速度と下面１３から上面１２に向かう通気速度とを異ならせると共に、この装置本体１に薬剤保持体１１を取り付ける際、薬剤保持体１１の上面１２、下面１３のどちらでも装置本体１に取り付け可能にして、薬剤保持体１１の上面１２と下面１３とを入れ替えて装置本体１に取り付けて使用できるようにしたことにより、使用する場所の状況に応じて、それぞれの状況に最適な状態での薬剤の放散を行うことができる。さらに、従来のような制御器やソレノイドあるいは調整筒等といった各種の部品を不要とし、装置の構造の単純化や小型化を図ることができ、安価な商品にすることができる。
【００２６】
また、装置本体１の吸い込み口側である上面２の開口部５に薬剤保持体１１を取り付けるようにしたことにより、装置本体１の吸い込み口側すなわち送風ファン８の吸い込み側の空気の流れは送風ファン８の放出側に比べて、風圧障害等がないことから、装置本体１の吸い込み口側に取り付けた薬剤保持体１１の内部では通気が全域にわたって均等に行なわれるようになり、薬剤保持体１１内のビスコパール粒１７に含浸した薬剤を安定して放散することができる。
【００２７】
さらに、装置本体１に備えた送風ファン８を遠心送風機の一種の多翼式送風機であるシロッコファンとしたことにより、装置本体１の薄型化かつ小型化を図り、強いては当該薬剤放散装置の薄型化かつ小型化を図ることができ、しかも、電源として装置本体１の下部に備える電池２０を利用することで、容易に持ち運びすることができ、いろいろな場所に設置して使用することにより、非常に使い勝手が良く、実用性が良好なものにすることができる。
【００２８】
次に、本発明による薬剤放散装置における薬剤保持体１１の他の例について述べる。まず、薬剤保持体１１に形成する通気孔１５，１６にあっては、前述した網目状に限定させるものではなく、スリット状等でも良く、内部の収容した薬剤を含浸するビスコパール粒１７が外に出ない大きさのものならば微小孔、丸孔、三角孔等でも良い。さらに、これらを組み合わせたものでも良い。また、この通気孔１５，１６の数も任意であり、通気量に応じて決めれば良い。さらに、この通気孔１５，１６の配置も任意であり、内部の例えば薬剤を含浸するビスコパール粒１７全体に空気の流れが行くような等間隔に配置したバランスのあるものが良い。
【００２９】
以上のとおり、薬剤保持体１１における通気孔１５，１６の形状、大きさ、数等は、通気量や薬剤保持体１１内の薬剤を含浸する担体等に応じて自由に選択することができる。また、上面１２の通気孔１５と下面１３の通気孔１６の広さは、一部と全面、あるいは狭い範囲と広い範囲といったように上面１２の通気孔１５の面積と下面１３の通気孔１６の面積とを異ならせるようにする。すなわち、通気孔１５，１６において、一方の面積を他方に比べて狭く，また縮小することで、薬剤保持体１１内を通過する空気の通気速度を調整することができ、使用場面や使用薬剤に応じて通気孔１５，１６の面積を決めることが望ましい。
【００３０】
なお、通気孔１５，１６の代わりに上面に小さな開口部を形成すると共に、下面に大きな開口部を形成して、このそれぞれの開口部に不織布等の通気性シートを熱溶着して、通気孔１５，１６の代わりにするようにしても良い。
【００３１】
次に、このような他の薬剤保持体１１の具体的な例としては、図７に示すように、上面１２と下面１３と上部傾斜面２１と下部側面２２とから円錐台筒状となり、図８に示すように、上面１２にスリット状の通気孔１５を略全面にわたって形成すると共に、図９に示すように、下面１３にスリット状の通気孔１６を略全面にわたって形成し、これにより、上面１２の通気孔１５の面積を小さく、下面１３の通気孔１６の面積を大きく、すなわち、上面１２の通気孔１５の面積と下面１３の通気孔１６の面積とを異ならせる。そして、この薬剤保持体１１の内部にビスコパール粒１７を収容する。
【００３２】
また、薬剤保持体１１の別の具体的な例としては、図１０に示すように、縦断面が凸形となる形状として、その中央上面２３に通気孔１５を、下面１３に通気孔１６をそれぞれ形成して、中央上面２３の通気孔１５の面積と下面１３の通気孔１６の面積とを異ならせるようにする。
【００３３】
さらに、薬剤保持体１１の別の具体的な例としては、図１１に示すように、薬剤を含浸する担体等のみによって構成するようにしても良い。この場合、フェルト材やスポンジ材を用いて円錐台筒状に成形し、この上面１２と下面１３を除いた上部傾斜面２１と下部側面２２にコーティングあるいは削り磨く等して、上部傾斜面２１と下部側面２２を非通気面とし、上面１２と下面１３とを通気孔１５，１６にする。
【００３４】
なお、装置本体１の内部に備える送風ファン８にあっては、駆動軸と直交する方向へ送風を行う多翼式送風機であるシロッコファンであったが、これに限定されるものではなく、複数枚の傾斜羽根を駆動軸に放射状に設けたプロペラファンで送風を行う軸流式送風機等でも良い。ただし、風量が大きく、また、送風音が小さい利点があるシロッコファンの方が好ましい。また、広い場所での使用、あるいは作業を早めるといった業務用による使用の場合は、電池２０による駆動に限定されず、コンセントに差し込んで使用する商業電源、あるいは充電式等を想定したものを使用することも可能である。
【００３５】
【発明の効果】
本発明によれば、使用する場所の状況に応じて、上面と下面とを入れ替えて装置本体に取り付けて使用することで、それぞれの状況に最適な状態での薬剤の放散を行うことができる。また、従来のような制御器やソレノイドあるいは調整筒等といった各種の部品を不要とし、装置の構造の単純化や小型化を図ることができ、安価な商品にすることができる。しかも、単に薬剤保持体の上面と下面とを入れ替えて取り付けるだけなので、使用する際の操作も非常に容易かつ簡単なものにすることができる。
【００３６】
また、本発明によれば、送風ファンの放出側に比べて、風圧障害等がない送風ファンの吸い込み側に薬剤保持体を取り付けたことで、薬剤保持体内における通気を全域にわたって均等に行うことができ、薬剤保持体内の保持した薬剤を安定して放散することができる。
【００３７】
さらに、本発明によれば、薄型となるシロッコファンを用いることで、装置本体の薄型化かつ小型化を図り、強いては当該薬剤放散装置の薄型化かつ小型化を図ることができる。
【図面の簡単な説明】
【図１】本発明による薬剤放散装置の断面図である。
【図２】本発明による薬剤放散装置における薬剤保持体の断面図である。
【図３】本発明による薬剤放散装置における薬剤保持体の上面図である。
【図４】本発明による薬剤放散装置における薬剤保持体の下面図である。
【図５】本発明による薬剤放散装置における別の薬剤保持体の断面図である。
【図６】本発明による薬剤放散装置の状態説明図である。
【図７】本発明による薬剤放散装置における他の薬剤保持体の断面図である。
【図８】本発明による薬剤放散装置における他の薬剤保持体の上面図である。
【図９】本発明による薬剤放散装置における他の薬剤保持体の下面図である。
【図１０】本発明による薬剤放散装置における他の薬剤保持体の断面図である。
【図１１】本発明による薬剤放散装置における他の薬剤保持体の断面図である。
【符号の説明】
１…装置本体、２…上面、３…側面、４…底面、５…開口部、６…開口部、７…取り付け部、８…送風ファン、９…羽根、１０…モータ、１１…薬剤保持体、１２…上面、１３…下面、１４…側面、１５…通気孔、１６…通気孔、１７…ビスコパール粒、１８…多孔質セラミック成形体、１９…電池収納部、２０…電池、２１…上部傾斜面、２２…下部側面、２３…中央上面。
【図１】
2004135563.tif 000003
【図２】
2004135563.tif 000004
【図３】
2004135563.tif 000005
【図４】
2004135563.tif 000006
【図５】
2004135563.tif 000007
【図６】
2004135563.tif 000008
【図７】
2004135563.tif 000009
【図８】
2004135563.tif 000010
【図９】
2004135563.tif 000011
【図１０】
2004135563.tif 000012
【図１１】
2004135563.tif 000013